(57)【要約】【課題】ねじりコイルばねのばね圧を適正に維持できるうえ、組み付け誤差等に加えて外部衝撃が加わっても、ねじりコイルばねが外れ難いテープカートリッジを提供する。【解決手段】本体ケース２の前面３を閉じる前蓋６の連結片１２と、本体ケース２の横側壁１５とが支軸１３で連結され、前蓋６が本体ケース２の前面３に臨む閉じ姿勢に回動付勢するねじりコイルばね１７の中間コイル部１７ａが支軸１３に嵌装される。前蓋６の連結片１２の内面には、ねじりコイルばね１７の第１腕部１７ｂを掛け止めるためのばね係止部１９が設けられ、本体ケース２の横側壁１５の外面には、ねじりコイルばね１７の第２腕部１７ｃの先端側を受け止めるための受け止め部２０が上下方向に延びるよう設けられている。ねじりコイルばね１７の第２腕部１７ｃの先端側には湾曲部２３が形成されており、受け止め部２０の空間２５の前側の縁に沿って膨出した受け止めリブ２６が、ねじりコイルばね１７の湾曲部２３の基端部２３ａを受け止める。【選択図】図１
2008123571.tif 000002
【特許請求の範囲】
【請求項１】
テープを収容する箱形状の本体ケースと、前記テープが露出する前記本体ケースの前面を開閉する蓋とを有しており、
前記蓋は、前記本体ケースの前面に臨む前面板と、前記前面板の前面から離れる後ろ向きに前記前面板の左右の端部から折れ曲がって延出する連結片とを有しており、
前記連結片と、前記連結片に向き合う前記本体ケースの左右の横側壁とが、前記連結片と前記横側壁とに軸芯が直交する支軸によって上下方向へ回動が可能な状態に連結されており、
前記蓋の前記前面板が前記本体ケースの前面に臨む閉じ姿勢に、前記支軸を中心に前記蓋を回動付勢するねじりコイルばねを有しており、
前記ねじりコイルばねは、前記支軸に嵌装される中間コイル部を有していて、前記中間コイル部の一端から第１腕部が延出するとともに前記中間コイル部の他端から第２腕部が延出しており、
前記本体ケースの前記横側壁に向き合う前記蓋の前記連結片の内面または前記蓋の前記連結片に向き合う前記本体ケースの前記横側壁の外面のいずれか一方の面には、前記ねじりコイルばねの前記第１腕部を掛け止めるためのばね係止部が設けられており、
前記蓋の前記連結片の前記内面または前記本体ケースの前記横側壁の前記外面のうち、前記ばね係止部が設けられていない他方の面には、前記ねじりコイルばねの前記第２腕部の先端側を受け止めるための受け止め部が、前記支軸の軸芯に対して直交方向になる上下方向に延びるように設けられており、
前記ねじりコイルばねの前記第２腕部の先端側には、前記ばね係止部を設けた前記一方の面側へ向けて湾曲する湾曲部が形成されており、
前記受け止め部を設けた前記連結片の前記内面または前記本体ケースの前記横側壁の前記外面には、前記受け止め部の前記支軸側の縁に沿って、前記支軸の軸芯に対して直交方向になる上下方向に延びる受け止めリブが膨出しており、
前記ねじりコイルばねの前記第２腕部の先端側は、前記湾曲部の湾曲によって前記受け止めリブを迂回する状態で前記受け止め部に受け止められており、
前記受け止めリブが、前記ねじりコイルばねの前記第２腕部の前記湾曲部の基端部を受け止め可能になっていることを特徴とするテープカートリッジ。
【請求項２】
前記受け止め部は、前記受け止め部を設けた前記連結片の前記内面または前記本体ケースの前記横側壁の前記外面から突出する突出壁と、前記突出壁の先端から前記支軸側へ延出する受止壁とを有していて、前記突出壁と、前記受止壁と、前記連結片または前記本体ケースの前記横側壁とで、前記支軸側が開口する空間を形成しており、
前記ねじりコイルばねの前記第２腕部の先端側が、前記支軸側の開口から前記受け止め部の前記空間内に入り込んだ状態で、前記受け止め部の前記空間の内面によって受け止められる請求項１に記載のテープカートリッジ。
【請求項３】
前記受け止めリブの前後の面のうちの少なくとも前面が、前後方向に傾斜している請求項１と２の何れかに記載のテープカートリッジ。
【発明の詳細な説明】
【技術分野】
【０００１】
本発明は、記録媒体としてのテープを本体ケースに収容してあり、そのテープが本体ケースの前面で本体ケース外に露出するようになっており、不使用時に前蓋で本体ケースの前面を閉じてテープを保護するテープカートリッジに関するものである。
【背景技術】
【０００２】
特許文献１〜４には、四角箱形状の本体ケースの前面を開閉するための前蓋を有し、その前蓋をねじりコイルばねで閉じ姿勢に回動付勢するテープカートリッジが開示されている。そのテープカートリッジでは、例えば特許文献１に示すように、前蓋が、本体ケースの前面に臨む前面板と、その前面板の左右の端部から後ろ向きに延びる連結片とを有しており、ねじりコイルばねの中間のコイル部が、前蓋の連結片の内面に設けた支軸に嵌装されている。
【０００３】
特許文献１のテープカートリッジでは、ねじりコイルばねの中間コイル部の一端から延出する一方の第１腕部を、前蓋の連結片の内面に設けたばね受け部に掛け止めし、ねじりコイルばねの中間コイル部の他端から延出する他方の第２腕部を、本体ケースに設けたばね受け溝に受け止めさせている（特許文献１の図１参照）。そして、使用の際にねじりコイルばねの付勢力に抗して前蓋を上方へ回動することで、本体ケースの前面が開かれてテープが露出する。
【０００４】
【特許文献１】特開平７−２９６５５３号公報（図１）
【特許文献２】特開平７−２９６５５４号公報（図１）
【特許文献３】特開２００１−１５５４６４号公報（図４）
【特許文献４】特開２００１−５７０４６号公報（図１）
【発明の開示】
【発明が解決しようとする課題】
【０００５】
特許文献１のテープカートリッジでは、前蓋を上方へ回動させたときに、その前蓋の回動に伴ってねじりコイルばねの第１腕部が、特許文献１の図１において時計回りに回動し、これに伴ってねじりコイルばねの第２腕部が時計回りに引っ張られる。この際、例えばねじりコイルばねの第２腕部が固定されていると、ねじりコイルばねの第１腕部の回動に伴ってねじりコイルばねのばね圧が急激に上昇し、これによって前蓋が開き難くなる。
【０００６】
このため、ねじりコイルばねの第２腕部はばね受け溝等に固定していないが、ねじりコイルばねの寸法誤差や加工誤差等によって、ねじりコイルばねの第２腕部の先端側が、ばね受け溝の端寄り側（特許文献１の図１では左側）に位置することがある。この場合、ねじりコイルばねのばね圧が小さくなり過ぎて、不使用時に前蓋を閉じ姿勢まで移動させることができなくなるおそれがある。しかも、この状態で外部衝撃等が加わると、ねじりコイルばねの第２腕部がばね受け溝から外れるおそれがあるところに問題がある。
【０００７】
そこで本発明の目的は、ねじりコイルばねのばね圧を適正に維持できるうえに、ねじりコイルばねの寸法誤差等に加えて外部衝撃等が加わっても、ねじりコイルばねが外れ難いテープカートリッジを提供することにある。
【課題を解決するための手段】
【０００８】
本発明に係るテープカートリッジは、テープ１を収容する箱形状の本体ケース２と、テープ１が露出する本体ケース２の前面３を開閉する蓋６とを有しており、蓋６は、本体ケース２の前面３に臨む前面板１１と、前面板１１の前面から離れる後ろ向きに前面板１１の左右の端部から折れ曲がって（例えば直角に）延出する連結片１２とを有しており、連結片１２と、連結片１２に向き合う本体ケース２の左右の横側壁１５とが、連結片１２と横側壁１５とに軸芯が直交する支軸１３によって上下方向への回動が可能な状態に連結されており、蓋６の前面板１１が本体ケース２の前面３に臨む閉じ姿勢に、支軸１３を中心に蓋６を回動付勢するねじりコイルばね１７を有しており、ねじりコイルばね１７は、支軸１３に嵌装される中間コイル部１７ａを有していて、中間コイル部１７ａの一端から第１腕部１７ｂが延出するとともに中間コイル部１７ａの他端から第２腕部１７ｃが延出しており、本体ケース２の横側壁１５に向き合う蓋６の連結片１２の内面または蓋６の連結片１２に向き合う本体ケース２の横側壁１５の外面のいずれか一方の面には、ねじりコイルばね１７の第１腕部１７ｂを掛け止めるためのばね係止部１９が設けられており、蓋６の連結片１２の内面または本体ケース２の横側壁１５の外面のうち、ばね係止部１９が設けられていない他方の面には、ねじりコイルばね１７の第２腕部１７ｃの先端側を受け止めるための受け止め部２０が、支軸１３の軸芯に対して直交方向になる上下方向（例えば、支軸１３の軸芯に直交する平面において、軸芯から離れた点を通る直線または曲線の傾く方向）に延びるように設けられており、ねじりコイルばね１７の第２腕部１７ｃの先端側には、ばね係止部１９を設けた一方の面側へ向けて湾曲する湾曲部２３が形成されており、受け止め部２０を設けた連結片１２の内面または本体ケース２の横側壁１５の外面には、受け止め部２０の支軸１３側の縁に沿って、支軸１３の軸芯に対して直交方向になる上下方向に延びる受け止めリブ２６が膨出しており、ねじりコイルばね１７の第２腕部１７ｃの先端側は、湾曲部２３の湾曲によって受け止めリブ２６を迂回する状態で受け止め部２０に受け止められており、受け止めリブ２６が、ねじりコイルばね１７の第２腕部１７ｃの湾曲部２３の基端部２３ａを受け止め可能になっていることを第１の特徴とする（図１）。
【０００９】
本発明に係るテープカートリッジの第２の特徴は、前記第１の特徴に加えて、受け止め部２０が、その受け止め部２０を設けた連結片１２の内面または本体ケース２の横側壁１５の外面から突出する突出壁２１と、突出壁２１の先端から支軸１３側へ延出する受止壁２２とを有していて、突出壁２１と、受止壁２２と、連結片１２または本体ケース２の横側壁１５とで、支軸１３側が開口する空間２５を形成しており、ねじりコイルばね１７の第２腕部１７ｃの先端側が、支軸１３側の開口から受け止め部２０の空間２５内に入り込んだ状態で、受け止め部２０の空間２５の内面によって受け止められる点にある（図１）。
【００１０】
本発明に係るテープカートリッジの第３の特徴は、前記第１、第２の何れかの特徴に加えて、受け止めリブ２６の前後の面２６ａ・２６ｂのうちの少なくとも前面２６ａが、前後方向に傾斜している点にある（図１）。
【発明の効果】
【００１１】
本発明のテープカートリッジは、受け止め部２０がねじりコイルばね１７の第２腕部１７ｃの先端側を受け止め、さらに受け止めリブ２６がねじりコイルばね１７の第２腕部１７ｃの湾曲部２３の基端部２３ａを受け止めるので、テープカートリッジにねじりコイルばね１７を組み付けたときに、ねじりコイルばね１７の寸法誤差や加工誤差等によってねじりコイルばね１７の第２腕部１７ｃの先端側が、例えば図３の位置よりも下側の位置に移動しようとしても、そのねじりコイルばね１７の第２腕部１７ｃが、受け止め部２０または受け止めリブ２６の少なくとも一方で受け止められて、下側の位置への移動が確実に阻止される。
【００１２】
つまり、ねじりコイルばね１７の第２腕部１７ｃは、固定されていないことで上下方向の移動が許容され、これによって蓋６の開き動作時に伴うねじりコイルばね１７のばね圧の急激な変化を抑えて、蓋６の開き動作時において適正なばね圧を確実に維持できる。そのうえで、ねじりコイルばね１７の第２腕部１７ｃの上下方向の過度の移動は、受け止め部２０と受け止めリブ２６とで二重に阻止され、ねじりコイルばね１７の第２腕部１７ｃの先端側が、図３の位置よりも下側になり過ぎることが確実に阻止される。これにより、ねじりコイルばね１７の第２腕部１７ｃの先端側の位置が下側になり過ぎて、ねじりコイルばね１７のばね圧が過度に小さくなることが防止され、不使用時に蓋６を閉じ姿勢まで確実に付勢することができる。また、外部衝撃等でねじりコイルばね１７の第２腕部１７ｃが受け止め部２０または受け止めリブ２６から外れることが確実に防止される。
【００１３】
本発明では、受け止め部２０が、突出壁２１の先端から支軸１３側へ延出する受止壁２２を有するとともに、支軸１３側が開口する空間２５を形成してあるので、ねじりコイルばね１７の第２腕部１７ｃの先端側を受け止めさせるために、第２腕部１７ｃの先端側を受け止め部２０の空間２５内に入り込ませたときには、受止壁２２でねじりコイルばね１７の第２腕部１７ｃの湾曲部２３の中間が受け止められて、ねじりコイルばね１７の第２腕部１７ｃの湾曲部２３の基端部２３ａが受け止めリブ２６から外れることが確実に抑えられ、ねじりコイルばね１７の第２腕部１７ｃの上下方向の過度の移動がより確実に阻止される。
【００１４】
本発明では、受け止めリブ２６の少なくとも前面２６ａが前後方向に傾斜しているので、ねじりコイルばね１７の第２腕部１７ｃの先端側が、受け止めリブ２６の少なくとも前面２６ａの傾斜に沿って受け止めリブ２６を容易に乗り越えることができ、その分だけねじりコイルばね１７の第２腕部１７ｃの先端側を受け止め部２０に受け止めさせる作業を容易に行うことができる。
【発明を実施するための最良の形態】
【００１５】
図面は本発明に係るテープカートリッジを示している。このテープカートリッジは、図２および図３に示すように、記録媒体としてのテープ１を収容する四角箱形状の本体ケース２と、本体ケース２の前面３に凹み形成してあってテープ１を本体ケース２の前面３に露出させるためのポケット５と、ポケット５の前面を含む本体ケース２の前面３を開閉する前蓋６とを有している。本体ケース２は、プラスチック製の上下ケース２ａ・２ｂ（図４参照）を蓋合わせ状にねじ結合してなり、本体ケース２の内部の左右に、テープ１が巻かれる左右一対のリール７・７を回転自在に配置してある。
【００１６】
一方のリール７から引き出されたテープ１は、本体ケース２の前面左右のテープ引出口にそれぞれ設けたテープガイド９・９で案内されて、他方のリール７に巻き取られる。ポケット５は、本体ケース２の前面中央、すなわち左右のテープ引出口の間に凹み形成されている。このポケット５は、少なくとも前面が開口している。本体ケース２の前面に露出出したテープ１は、不使用時に前蓋６で覆われることで保護される。
【００１７】
前蓋６は、図３および図４に示すように、ポケット５およびテープ引出口の開口前面を含む本体ケース２の前面３に臨む前面板１１と、前面板１１の前面から離れる後ろ向きに前面板１１の左右の端部から直角に折れ曲がって延出する左右一対の連結片１２・１２とを有する。本体ケース２の左右の横側壁１５・１５の外面と、前蓋６の左右の連結片１２・１２の内面とはそれぞれ向き合っている。左右の連結片１２・１２の内面には、連結片１２と本体ケース２の横側壁１５とに軸芯が直交する支軸１３がそれぞれ内向き（左右方向）に延びていて、左右の支軸１３・１３が本体ケース２を挟んで対向状に配置されている。
【００１８】
左右の連結片１２・１２は、図１に示すように本体ケース２の左右の横側壁１５・１５の各前端部の外側に近接して位置している。本体ケース２の左右の横側壁１５・１５には、図４に示す軸孔１６・１６がそれぞれ切り込み形成してあり、左右の支軸１３・１３が軸孔１６・１６にそれぞれ嵌入されることで、前蓋６の連結片１２・１２と本体ケース２の左右の横側壁１５・１５とが、支軸１３・１３によって前蓋６の上下方向への回動が可能な状態に連結される。つまり、前蓋６は、その前面板１１が本体ケース２の前面３に臨む閉じ姿勢（図３の実線）と、上開き姿勢（図３の仮想線）とにわたって支軸１３を中心に回動可能になる。
【００１９】
前蓋６は、不使用時にはロック部材（図示せず）によって閉じ姿勢でロック保持される。ロック部材は、ドライブ装置等での使用時にはドライブ装置側の解除操作部材によってロックが解除され、これによって前蓋６が開き姿勢に回動可能になる。
【００２０】
前蓋６の左右のいずれか一方の支軸１３には、ねじりコイルばね１７が初期ばね圧を付与して装着されており、ねじりコイルばね１７によって前蓋６が、閉じ姿勢になるよう支軸１３を中心に回動付勢される。つまり、ねじりコイルばね１７は、図１および図３に示すように、支軸１３に嵌装される中間コイル部１７ａを有しており、その中間コイル部１７ａの一端から第１腕部１７ｂが前方に向けて延出されているとともに、中間コイル部１７ａの他端から第２腕部１７ｃが後方に向けて延出されている。そして、ねじりコイルばね１７の中間コイル部１７ａが一方の支軸１３に嵌装され、ねじりコイルばね１７の第１腕部１７ｂの先端部が、前蓋６の一方の連結片１２の内面に突設したばね係止部１９に上方から掛け止めされ、ねじりコイルばね１７の第２腕部１７ｃの先端側が、本体ケース２の一方の横側壁１５の外面に設けた受け止め部２０に受け止められている。
【００２１】
ねじりコイルばね１７の第２腕部１７ｃの先端側には、図１に示すように、湾曲部２３が形成されている。その湾曲部２３は、ばね係止部１９を設けた前蓋６の一方の連結片１２の内面側へ向けて円弧状に湾曲している。本体ケース２の受け止め部２０は、図１および図４に示すように、支軸１３の軸芯に対して直交方向になる本体ケース２の上下方向へ延びており、本体ケース２の一方の横側壁１５の外面から外方へ突出する突出壁２１と、その突出壁２１の先端から支軸１３側（前側）へ延出する受止壁２２とを有する。受け止め部２０は、突出壁２１と、受止壁２２と、本体ケース２の横側壁１５とで囲まれた空間２５を形成してある。この空間２５は、支軸１３側が開口しており、この開口２５ｂから空間２５内にねじりコイルばね１７の第２腕部１７ｃの先端側が入り込む（図１の状態）。
【００２２】
受け止め部２０の受止壁２２は、その内面でねじりコイルばね１７の第２腕部１７ｃの湾曲部２３の中間を受け止め可能になっており、受け止め部２０の突出壁２１の内面を含む空間２５の後ろ側の面２５ａで、ねじりコイルばね１７の第２腕部１７ｃの先端を受け止め可能になっている。
【００２３】
本体ケース２の一方の横側壁１５の外面には、受け止め部２０の空間２５の開口２５ｂの支軸１３側の縁に沿って、支軸１３の軸芯に対して直交方向になる上下方向に延びる線条状の受け止めリブ２６が膨出しており、受け止めリブ２６の前面２６ａが、ねじりコイルばね１７の第２腕部１７ｃの湾曲部２３の基端部２３ａを受け止め可能になっている。受け止めリブ２６と受け止め部２０の受止壁２２との間には、ねじりコイルばね１７の第２腕部１７ｃの湾曲部２３が通れるだけの隙間が形成されている。
【００２４】
受け止めリブ２６の前後の面２６ａ・２６ｂは、それぞれ前後方向に傾斜しており、これによって受け止めリブ２６は、図１に示すように台形状の断面形状になっている。受け止めリブ２６の前後の面２６ａ・２６ｂを傾斜させたことで、ねじりコイルばね１７の第２腕部１７ｃの先端側が、受け止めリブ２６の前後の面２６ａ・２６ｂの傾斜に沿って受け止めリブ２６を容易に乗り越えて、受け止め部２０の空間２５内に入り込むことができる。尚、受け止めリブ２６の前面２６ａのみを傾斜させてもよい。
【００２５】
本体ケース２の左右の横側壁１５・１５に支軸１３・１３をそれぞれ設け、その左右の支軸１３・１３に対して、前蓋６の左右の連結片１２・１２をそれぞれ上下方向への回動が可能な状態に連結してもよい。支軸１３・１３は、本体ケース２および前蓋６と別に形成して、前蓋６の左右の連結片１２・１２と本体ケース２の左右の横側壁１５・１５とが上下方向への回動が可能な状態になるように取り付けてもよい。ねじりコイルばね１７の第２腕部１７ｃの湾曲部２３は、例えばく字状に湾曲形成したものであってもよい。突出壁２１と、受止壁２２と、受け止めリブ２６とが延びる上下方向には、支軸１３の軸芯に直交する平面において軸芯から離れた点を通る直線または曲線の傾く方向が該当する。
【００２６】
ばね係止部１９を前蓋６の連結片１２に向き合う本体ケース２の横側壁１５の外面に設け、受け止め部２０を前蓋６の連結片１２の内面に設けてもよい。この場合、ねじりコイルばね１７の第２腕部１７ｃの湾曲部２３は本体ケース２の横側壁１５の外面側へ向けて湾曲し、受け止め部２０の突出壁２１が連結片１２の内面から突出し、受け止め部２０の空間２５が、突出壁２１と受止壁２２と連結片１２とで囲み形成されることになる。また、受け止めリブ２６は、連結片１２の内面に膨出状に設けられることになる。
【００２７】
ねじりコイルばね１７とばね係止部１９と受け止め部２０とをテープカートリッジの左右にそれぞれ配置してもよい。受け止めリブ２６の前後の面２６ａ・２６ｂの何れも傾斜させなくてもよい。この場合、ねじりコイルばね１７の第２腕部１７ｃの先端側は、例えば受け止め部２０の下端開口から受け止め部２０の空間２５内へ入り込ませることになる。
【図面の簡単な説明】
【００２８】
【図１】本発明のテープカートリッジの要部を示す横断平面図である。
【図２】テープカートリッジの平面図である。
【図３】図２のＡ−Ａ線断面図である。
【図４】本発明のテープカートリッジの要部を示す分解斜視図である。
【符号の説明】
【００２９】
１  テープ
２  本体ケース
３  前面
５  ポケット
６  前蓋
１１  前面板
１２  連結片
１３  支軸
１５  横側壁
１７  ねじりコイルばね
１７ａ  中間コイル部
１７ｂ  第１腕部
１７ｃ  第２腕部
１９  ばね係止部
２０  受け止め部
２１  突出壁
２２  受止壁
２３  湾曲部
２３ａ  基端部
２５  空間
２５ａ  後ろ側の面
２５ｂ  開口
２６  受け止めリブ
２６ａ  前面
２６ｂ  後面
【図１】
2008123571.tif 000003
【図２】
2008123571.tif 000004
【図３】
2008123571.tif 000005
【図４】
2008123571.tif 000006